【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
４ラインのイメージセンサを用いて原稿の画像を入力する画像入力装置であって、
上記原稿を照射する光源と、上記原稿からの反射光を所望の方向に反射するミラーから構成されるキャリジと、
上記４ラインのイメージセンサのうち、受光面に色フィルタを配置しない１ラインのイメージセンサを用いて上記原稿の画像を入力する第１の画像入力部と、
上記４ラインのイメージセンサのうち、受光面に色フィルタを配置した３ラインのイメージセンサを用いて上記原稿の画像を入力する第２の画像入力部と、
上記原稿の画像を入力する前に上記記キャリジをフォワード方向に移動させ、上記４ラインのイメージセンサのうち、受光面に色フィルタを配置した３ラインのイメージセンサを用いて上記原稿の色情報を検知し、続いて上記キャリジをバックワード方向に移動して第１の画像入力部または第２の画像入力部に、上記原稿の画像を入力する制御を行う制御部と、
この制御部の制御で検知された上記色情報から上記原稿がモノクロ原稿かカラー原稿かを判断する判断部と、を具備し、
上記制御部は、上記判断部でモノクロ原稿と判断された際、上記第１の画像入力部に上記原稿の画像を入力し、上記判断部でカラー原稿と判断された際、上記第２の画像入力部に上記原稿の画像を入力することを特徴とする画像入力装置。
【請求項２】
上記制御部は、プリスキャンを制御することを特徴とする請求項１に記載の画像入力装置。
【請求項３】
上記第１の画像入力部及び第２の画像入力部は、正規の画像入力を行うことを特徴とする請求項１に記載の画像入力装置。
【請求項４】
上記制御部は、当該キャリジを正規の画像入力より速い移動速度で制御して色情報を検知することを特徴とする請求項１に記載の画像入力装置。
【請求項５】
上記制御部は、当該キャリジを正規の画像入力時の２倍の移動速度で制御して色情報を検知することを特徴とする請求項１に記載の画像入力装置。
【請求項６】
上記制御部は、上記第１の画像入力部と第２の画像入力部で入力される画像より解像度を下げて色情報を検知することを特徴とする請求項１に記載の画像入力装置。
【請求項７】
上記制御部は、初期状態で上記キャリジを画像入力領域外に停止させ、原稿入力動作開始でフォワード方向に移動する第１のプリスキャン時に原稿のサイズを検出し、続いてバックワード方向に移動する第２のプリスキャン時に原稿の色情報を検知することを特徴とする請求項１に記載の画像入力装置。
【請求項８】
上記判断部で原稿がモノクロでない単色原稿と判断された際、上記色情報を記憶部に記憶し、上記４ラインのイメージセンサのうち、受光面に色フィルタを配置しない１ラインのイメージセンサを用いて上記原稿の画像を入力する第３の画像入力部を有することを特徴とする請求項１に記載の画像入力装置。
【請求項９】
上記第２の画像入力部は、上記４ラインのイメージセンサのうち、受光面に色フィルタを配置した３ラインのイメージセンサを用いて上記原稿のカラー画像を入力し、同時に受光面に色フィルタを配置しない１ラインのイメージセンサで原稿の濃度情報を入力し、上記入力した原稿のカラー画像に対して上記入力した原稿の濃度情報を補正信号として原稿のカラー画像情報を合成することを特徴とする請求項１に記載の画像入力装置。
【請求項１０】
４ラインのイメージセンサを用いて原稿の画像を入力する画像入力装置であって、
上記原稿を照射する光源と、上記原稿からの反射光を所望の方向に反射するミラーから構成されるキャリジと、
上記４ラインのイメージセンサのうち、受光面に色フィルタを配置しない１ラインのイメージセンサを用いて上記原稿の画像を入力する第１の画像入力部と、
上記４ラインのイメージセンサのうち、受光面に色フィルタを配置した３ラインのイメージセンサを用いて上記原稿の画像を入力する第２の画像入力部と、
上記原稿の画像を入力する前に上記記キャリジをフォワード方向に移動させ、上記４ラインのイメージセンサのうち、受光面に色フィルタを配置した３ラインのイメージセンサを用いて上記原稿の色情報を検知し、続いて上記キャリジをバックワード方向に移動して第１の画像入力部または第２の画像入力部に、上記原稿の画像を入力する制御を行う制御部と、
この制御部の制御で検知された上記色情報から上記原稿がモノクロ原稿かカラー原稿かを判断する判断部と、を具備し、
上記制御部は、上記判断部でモノクロ原稿と判断された際、上記第１の画像入力部に上記原稿の画像を入力し、上記判断部でカラー原稿と判断された際、上記第２の画像入力部に上記原稿の画像を入力することを特徴とする画像入力装置と、
上記画像入力装置により入力された原稿の画像情報に基づいて画像を形成する画像形成部と、
を有することを特徴とする画像形成装置。
【手続補正２】
【補正対象書類名】明細書
【補正対象項目名】００１３
【補正方法】変更
【補正の内容】
【００１３】
この発明は、４ラインのイメージセンサを用いて原稿の画像を入力する画像入力装置であって、上記原稿を照射する光源と、上記原稿からの反射光を所望の方向に反射するミラーから構成されるキャリジと、上記４ラインのイメージセンサのうち、受光面に色フィルタを配置しない１ラインのイメージセンサを用いて上記原稿の画像を入力する第１の画像入力部と、上記４ラインのイメージセンサのうち、受光面に色フィルタを配置した３ラインのイメージセンサを用いて上記原稿の画像を入力する第２の画像入力部と、上記原稿の画像を入力する前に上記記キャリジをフォワード方向に移動させ、上記４ラインのイメージセンサのうち、受光面に色フィルタを配置した３ラインのイメージセンサを用いて上記原稿の色情報を検知し、続いて上記キャリジをバックワード方向に移動して第１の画像入力部または第２の画像入力部に、上記原稿の画像を入力する制御を行う制御部と、この制御部の制御で検知された上記色情報から上記原稿がモノクロ原稿かカラー原稿かを判断する判断部と、を具備し、上記制御部は、上記判断部でモノクロ原稿と判断された際、上記第１の画像入力部に上記原稿の画像を入力し、上記判断部でカラー原稿と判断された際、上記第２の画像入力部に上記原稿の画像を入力することを特徴とする画像入力装置を提供するものである。
【手続補正３】
【補正対象書類名】明細書
【補正対象項目名】００１４
【補正方法】変更
【補正の内容】
【００１４】
またこの発明は、４ラインのイメージセンサを用いて原稿の画像を入力する画像入力装置であって、上記原稿を照射する光源と、上記原稿からの反射光を所望の方向に反射するミラーから構成されるキャリジと、上記４ラインのイメージセンサのうち、受光面に色フィルタを配置しない１ラインのイメージセンサを用いて上記原稿の画像を入力する第１の画像入力部と、上記４ラインのイメージセンサのうち、受光面に色フィルタを配置した３ラインのイメージセンサを用いて上記原稿の画像を入力する第２の画像入力部と、上記原稿の画像を入力する前に上記記キャリジをフォワード方向に移動させ、上記４ラインのイメージセンサのうち、受光面に色フィルタを配置した３ラインのイメージセンサを用いて上記原稿の色情報を検知し、続いて上記キャリジをバックワード方向に移動して第１の画像入力部または第２の画像入力部に、上記原稿の画像を入力する制御を行う制御部と、この制御部の制御で検知された上記色情報から上記原稿がモノクロ原稿かカラー原稿かを判断する判断部と、を具備し、上記制御部は、上記判断部でモノクロ原稿と判断された際、上記第１の画像入力部に上記原稿の画像を入力し、上記判断部でカラー原稿と判断された際、上記第２の画像入力部に上記原稿の画像を入力することを特徴とする画像入力装置と、上記画像入力装置により入力された原稿の画像情報に基づいて画像を形成する画像形成部と、を有することを特徴とする画像形成装置を提供するものである。